(57)【要約】【課題】コンソール型画像形成装置を人力のみによって持ち上げ可能として階上等に移動して使用出来るようにする。【解決手段】装置本体の転写紙排出側の側面カバー１００をネジ止め等によって本体に対し自由に着脱出来るように構成し、開放される本体フレーム部２００の上方と下端に手の挿入が容易・安全でかつ保持の安定、確実な把持部Ａ及びＢを設け、階段等を上下する場合本体の向きに応じて把持部Ａ若しくはＢを利用して移動出来るように構成する。【選択図】　　　　図２
2004037818.tif 000002
【特許請求の範囲】
【請求項１】
キャスタを有しほぼ平行六面体形状をして一方の側面に記録された転写紙を排出する画像形成装置の、底面の本体フレーム部は手を差し込んで把持運搬を可能とする形状とすると共に、
該画像形成装置の少なくとも片方の側面近くの本体フレームを構成する部材には把持部を設けたことを特徴とする画像形成装置。
【請求項２】
前記把持部は装置表面からは突出しない形状で、手を差し込んで把持されるよう内側に凹部もった形状としたことを特徴とする請求項１に記載の画像形成装置。
【請求項３】
前記把持部は床面から６５ｃｍ乃至８５ｃｍの間にあることを特徴とする請求項１又は２に記載の画像形成装置。
【請求項４】
前記把持部は装置本体の重心位置に近い側に設けたことを特徴とする請求項１乃至３の何れか１項に記載の画像形成装置。
【請求項５】
前記把持部は側面のカバーを取り外すことによって、露出する構成としたことを特徴とする請求項１乃至４の何れか１項に記載の画像形成装置。
【発明の詳細な説明】
【０００１】
【発明の属する技術分野】
本発明は、床の上に設置して画像形成を行うコンソール型の画像形成装置に係わり、特に運搬性に考慮された画像形成装置に関する。
【０００２】
【従来の技術】
複数の給紙カセットを有し、異なったサイズの転写紙上に画像形成を行う画像形成装置、特にカラー画像を形成するカラー画像形成装置では、構成部材の関係から大型でかつ相当の重量となることが避けられない。このため床の上に直接設置する形式の画像形成装置が検討され、床の占拠面積をなるべく小さくしようとする要求から、縦長のほぼ平行六面体形状をして底面にキャスタを設けたコンソール型の画像形成装置が多く提供されている。
【０００３】
かかる形状の画像形成装置では、同一フロア上を移動させるときには、キャスタを用いることで容易に移動を行うことができる。しかし階段や段差のあるところを移動させるにはキャスタにたよることができないので、２人の作業者によって装置本体を持ち上げて運搬することがなされている。
【０００４】
【発明が解決しようとする課題】
画像形成装置には、運搬時に持ちやすいようにするために、装置底面に手を差し込んで持ち上げやすいようにした把手的形状部分を設ける等のことがなされている。しかし、画像形成装置を２人の作業者で階段を運搬しようとするときには、底面の把手的形状部分に手を差し込んで持ち上げることになるので、上側にいる作業者は腰をかがめた姿勢となり、持ち上げにくい上に力をかけにくいという問題がある。
【０００５】
更にまた、上側と下側とで作業者位置が違うことから、階段を昇降する際には持ち上げられた画像形成装置は下方に傾いた姿勢となって、下側の作業者には画像形成装置の殆どの荷重がかかってしまうという問題もある。
【０００６】
本発明は、かかる問題を解決した画像形成装置を提供することを目的とする。
【０００７】
【課題を解決するための手段】
上記の目的は、下記の画像形成装置によって達成される。
【０００８】
１．　キャスタを有しほぼ平行六面体形状をして一方の側面に記録された転写紙を排出する画像形成装置の、底面の本体フレーム部は手を差し込んで把持運搬を可能とする形状とすると共に、
該画像形成装置の少なくとも片方の側面近くの本体フレームを構成する部材には把持部を設けたことを特徴とする画像形成装置。
【０００９】
【発明の実施の形態】
図１は本発明の係わる画像形成装置の一構成例を示すもので自動原稿送り装置（ＡＤＦ）１０、画像読み取り装置２０、画像書き込み光学系３０、画像形成部４０及び給紙部５０の各部から成り、これ等の各部には上下方向に積み重ねるレイアウトがとられて縦長のコンソール型の装置に形成され、給紙部５０から給紙された転写紙上には画像形成がなされて排紙口４２から機外に排出される。
【００１０】
前記の画像形成装置は図２に示す如く転写紙排出側の側面カバー１００をトレイＴを取り除いた状態からネジ止めを解除して装置本体より取り外すと、その内側の本体フレーム部２００の外面がほぼ全面にわたって開放される。
【００１１】
前記の本体フレーム部２００はその上方に把手部Ａとその下端に把手部Ｂ（把持部Ｂは反対側の対称位置にもあり）とを設けていて、装置本体の運搬や移動に際して作業者は把手部Ａ又は把手部Ｂに対して両手を容易に挿入して確実に把持出来る取手として開口される。
【００１２】
図３に示す如く前記の各把持部Ａ及びＢは、本体フレームのそれぞれの開口部の上縁がプレス加工によって内方向に水平な折曲げ面に比較的ゆるやかな曲面をもって形成されていて、それによって手の挿入と装置本体の把持に当たっての安全と安定が図られている。
【００１３】
さらに図３（ａ）に示す如く把持部Ａに対応する画像書き込み光学系３０の収納台３１には凹部３１Ａ、一方装置底面の本体フレーム部２００に設けた把持部Ｂの折曲げ面には凹部２００Ａが形成されていて、挿入した手による装置本体の把持がより安定すると同時にその荷重にも耐えられることとなる。なお、前記各凹部は取り扱い性を考慮して適度の間隔を置いて水平方向にそれぞれ一対宛設けられる。
【００１４】
従って本発明の画像形成装置はキャスタを利用した水平移動と共に前記の把持部Ａあるいは把持Ｂの何れか一方の把持によって傾斜した方向への持ち上げも可能となって作業者にかかる負荷の著しい変動も避けられて、その結果人力のみにより階上への運搬・移動も比較的容易に出来ることとなる。
【００１５】
なお、把持部Ａについては装置の大きさ及び昇降する階段の傾斜等によって適切とする寸法が定まるが、多くの事例について集計した結果、床面よりの高さＨが６５乃至８５ｃｍの７５ｃｍを中心とした範囲内にあるのが適当である。更に一般に定着ユニット４１の近傍が装置本体重心位置Ｇとなっていることが多いことから、重心位置に近い側、即ち排紙口４２側に把持部Ａが設けられれば、把持部Ａの操作性は良好でかつそれにかかる人力が効率良く利用される。
【００１６】
【発明の効果】
本発明により、画像形成装置は特に運搬用機材等を使用することなく、人力のみによって階上等への移動が簡易に実施出来るようになり、その結果装置場所を特定する必要がなく任意に移動して効率良く稼働することの出来る画像形成装置が提供されることとなった。
【図面の簡単な説明】
【図１】コンソール型画像形成装置の断面構成図。
【図２】本発明の画像形成装置の斜視図。
【図３】各把持部の要部断面図。
【符号の説明】
１０　自動原稿送り装置
２０　画像読み取り装置
３０　画像書き込み光学系
３１　収納台
３１Ａ，２００Ａ　凹部
４０　画像形成部
４１　定着ユニット
４２　排紙口
１００　側面カバー
２００　本体フレーム部
Ｔ　トレイ
【図１】
2004037818.tif 000003
【図２】
2004037818.tif 000004
【図３】
2004037818.tif 000005